【手続補正書】
【提出日】平成17年1月17日(2005.1.17)
【手続補正１】
【補正対象書類名】特許請求の範囲
【補正対象項目名】全文
【補正方法】変更
【補正の内容】
【特許請求の範囲】
【請求項１】
（ａ）化学的毒性物質、および（ｂ）爆発性であるか、あるいは衝撃および／または移動および／または粒径に鋭敏であるかの、いずれかである物質を含有する組成物の処理方法であって、
（ｉ）前記組成物の水性分散液を形成し、
（ｉｉ）不活性吸収性粘土を前記分散液に加え、
（ｉｉｉ）物質（ａ）および／または（ｂ）を危険のより少ない形態に分解するために、生じた混合物を加熱する
ステップを含む方法。
【請求項２】
ステップ（ｉ）の前に、物質（ａ）および／または（ｂ）を危険のより少ない形態に分解させることができる、１種または複数の反応物による化学処理に前記組成物を供する請求項１に記載の方法。
【請求項３】
（ａ）化学的毒性物質、および（ｂ）爆発性であるか、あるいは衝撃および／または移動および／または粒径に鋭敏であるかの、いずれかである物質を含む組成物を含有する未使用または使用済み化学戦争用弾薬品の処理方法であって、
（１）弾薬品を開け、
（２）物質（ａ）および／または（ｂ）を危険のより少ない形態に処理できる１種または複数の反応物による化学処理にその内容物を供し、
（３）このような処理内容物の水性分散液を形成し、
（４）不活性吸収性粘土を前記分散液に加え、および
（５）物質（ａ）および／または（ｂ）を危険のより少ない形態に分解するために、生じた混合物を加熱する
ステップを含む方法。
【請求項４】
前記化学的処理は塩基存在下、組成物を加水分解に供することを含む請求項２または３に記載の方法。
【請求項５】
前記組成物は、工業プロセスの副産物、弾薬品または花火製品またはその部分、あるいは燃料または推進剤である請求項１から４のいずれか一項に記載の方法。
【請求項６】
ステップ（ｉｉｉ）／（５）に続いて水性分散液と粘土の混合物を乾燥し、濃厚スラリーまたは固体を形成するさらなるステップを含む請求項１から５のいずれか一項に記載の方法。
【請求項７】
前記乾燥ステップは、混合物を所望の形態に圧縮、成形または造形することを伴う請求項６に記載の方法。
【請求項８】
前記化学的毒性物質（ａ）は毒性元素を含有する請求項１から７のいずれか一項に記載の方法。
【請求項９】
前記毒性元素は金属である請求項８に記載の方法。
【請求項１０】
前記毒性元素は、ヒ素、カドミウム、クロム、水銀、スズ、鉛、セレン、テルルおよびそれらの混合物からなる群から選択される請求項８または９に記載の方法。
【請求項１１】
前記毒性元素はヒ素である請求項１０に記載の方法。
【請求項１２】
前記物質（ａ）は化学戦争（ＣＷ）試剤である請求項１から１１のいずれか一項に記載の方法。
【請求項１３】
前記ＣＷ試剤は、ホスゲン、サルファーマスタード、黄リン、ジクロロ（２−クロロビニル）アルシン、ジフェニルアミンクロロアルシン、ジフェニルクロロアルシン、ジフェニルシアノアルシンおよびそれらの混合物からなる群から選択される請求項１２に記載の方法。
【請求項１４】
物質（ｂ）は爆発物である請求項１から１３のいずれか一項に記載の方法。
【請求項１５】
前記物質（ｂ）は、ＴＮＴ（２，４，６−トリニトロトルエン）、ＲＤＸ（１，３，５−トリニトロトリアジン）、ピクリン酸（２，４，６−トリニトロフェノール）、ピクリン酸の誘導体およびそれらの混合物からなる群から選択される請求項１４に記載の方法。
【請求項１６】
前記ステップ（ｉｉ）／（４）で加えた粘土は、顆粒または粉末などの微細に分割された形態をとる請求項１から１５のいずれか一項に記載の方法。
【請求項１７】
前記粘土は、１０μｍ以下の粒径を有する請求項１６に記載の方法。
【請求項１８】
前記粘土は、２μｍ以下の粒径を有する請求項１７に記載の方法。
【請求項１９】
ステップ（ｉｉ）／（４）で、４０％ｗ／ｖから９０％ｗ／ｖの間の前記粘土を水性分散液に加える請求項１から１８のいずれか一項に記載の方法。
【請求項２０】
ステップ（ｉ）／（３）で形成される前記分散液は、危険物質（ａ）および／または
（ｂ）の少なくとも１種が液体形態にある乳濁液の形態である請求項１から１９のいずれか一項に記載の方法。
【請求項２１】
危険物質（ａ）および／または（ｂ）の少なくとも１種を溶解するために、ステップ（ｉ）／（３）の間に前記組成物を加熱する請求項１から２０のいずれか一項に記載の方法。
【請求項２２】
前記組成物をステップ（ｉ）／（３）の間に少なくとも８０℃に加熱する請求項２１に記載の方法。
【請求項２３】
ｐＨ調整剤をステップ（ｉ）／（３）の前またはその間に組成物に加える請求項１から２２のいずれか一項に記載の方法。
【請求項２４】
前記ｐＨ調整剤は塩基である請求項２３に記載の方法。
【請求項２５】
前記塩基は水酸化ナトリウムまたは水酸化カリウムである請求項２４に記載の方法。
【請求項２６】
ステップ（ｉ）／（３）で形成された前記水性分散液は、５％ｗ／ｖから２０％ｗ／ｖの間の化学毒性物質（ａ）、および５％ｗ／ｖから１５％ｗ／ｖの間の爆発性または鋭敏な物質（ｂ）を含有する請求項１から２５のいずれか一項に記載の方法。
【請求項２７】
ステップ（ｉ）／（３）の前記水性分散液が８０℃以上の温度である間に、粘土を加える請求項１から２６のいずれか一項に記載の方法。
【請求項２８】
加熱ステップ（ｉｉｉ）／（５）を、４００℃以上の温度で実施する請求項１から２７のいずれか一項に記載の方法。
【請求項２９】
ステップ（ｉｉｉ）／（５）に続いて、組成物をガラス状にするためにさらに加熱する請求項１から２８のいずれか一項に記載の方法。
【請求項３０】
処理中の組成物中に存在する１種または複数の物質の危険性の低下に役立つ試薬の導入をさらに含む請求項１から２９のいずれか一項に記載の方法。
【請求項３１】
前記試薬を、ステップ（ｉｉ）／（４）で粘土と共に導入する請求項３０に記載の方法。
【請求項３２】
前記試薬を、ステップ（ｉ）／（３）において、またはそのステップ前に導入する請求項３０または３１に記載の方法。
【請求項３３】
前記試薬は水酸化カルシウムまたは過酸化カルシウムである請求項３０から３２のいずれか一項に記載の方法。
【請求項３４】
実質的に本明細書中に記載されている、（ａ）爆発性であるか、あるいは衝撃および／または移動および／または粒径に鋭敏であるかの、いずれかである物質および（ｂ）エネルギー物質を含有する組成物の処理方法。
【請求項３５】
（ａ）化学的毒性物質および（ｂ）爆発性であるか、あるいは衝撃および／または移動および／または粒径に鋭敏であるかの、いずれかである物質を含有する組成物の処理における不活性吸収物質の使用。
【請求項３６】
処理される組成物の水性分散液に粘土を加えることを含む請求項３５に記載の利用。
【請求項３７】
請求項１から３４のいずれか一項に記載の方法の一部を形成する請求項３５または３６に記載の使用。
【請求項３８】
マトリックス中に（ａ）化学的毒性物質および／またはその熱分解形態ならびに（ｂ）爆発性であるか、あるいは衝撃および／または移動および／または粒径に鋭敏であるかの、いずれかである物質および／またはその熱分解形態が分散している、不活性吸収粘土の前記マトリックスを含む生成物。
【請求項３９】
前記物質（ａ）および（ｂ）は、それらがその後の長期貯蔵時に有意な程度で浸出することのないように、十分によく結合された形態でマトリックス内に封じ込められている請求項３８に記載の生成物。
【請求項４０】
請求項１から３４のいずれか一項に記載の方法を用いて作製された請求項３８または３９に記載の生成物。
【請求項４１】
請求項１から３４のいずれか一項に記載の方法の実施を伴う、（ａ）化学的毒性物質および（ｂ）爆発性であるか、あるいは衝撃および／または移動および／または粒径に鋭敏であるかの、いずれかである物質を含有する組成物の処理方法。